(57)【要約】【目的】  原本を出力したユーザを確実に特定できるようにする。【構成】  プリンタのＣＰＵ１０１は、複写時に光学的に読み取り可能な複写残存パターンと読み取り困難な複写消去パターンとの組み合わせによって作成され、複写物において顕現する複写抑制パターンを含む地紋パターンのデータを印刷ジョブ（原本の印刷データを含む）に付加して印刷を行う場合には、その印刷ジョブの印刷が可能か否かを判断する認証処理を行い、その認証処理によって印刷ジョブの印刷が可能と判断されて認証が得られた場合に、その印刷ジョブ（実際には印刷データ）の印刷を行うが、その際に上記認証に関する情報（ユーザ名）を複写残存パターンとして付加する。【選択図】        図６
2006331203.tif 000002
【特許請求の範囲】
【請求項１】
上位装置と印刷装置からなり、前記上位装置が、複写時に光学的に読み取り可能な複写残存パターンと読み取り困難な複写消去パターンとの組み合わせによって作成され、複写物において顕現する複写抑制パターンを含む地紋パターンのデータを印刷ジョブに付加して前記印刷装置へ送信し、該印刷装置が、前記上位装置からの前記地紋パターンのデータが付加された印刷ジョブを受信して印刷を行う印刷システムであって、
前記上位装置に、前記印刷装置で認証を得るのに必要な情報を入力する情報入力手段と、該情報入力手段によって入力された情報の一部を複写残存パターンとして前記印刷ジョブに付加するオーバレイ手段とを設け、
前記印刷装置に、前記上位装置から受信した前記印刷ジョブの印刷が可能か否かを判断する認証処理を行う認証処理手段と、該認証処理手段によって前記印刷ジョブの印刷が可能と判断されて認証が得られた場合に、該印刷ジョブの印刷を行うジョブ制御手段とを設けたことを特徴とする印刷システム。
【請求項２】
上位装置と印刷装置からなり、前記上位装置が、複写時に光学的に読み取り可能な複写残存パターンと読み取り困難な複写消去パターンとの組み合わせによって作成され、複写物において顕現する複写抑制パターンを含む地紋パターンのデータを印刷ジョブに付加して前記印刷装置へ送信し、該印刷装置が、前記上位装置からの前記地紋パターンのデータが付加された印刷ジョブを受信して印刷を行う印刷システムであって、
前記上位装置に、前記印刷装置で認証を得るのに必要な情報を入力する情報入力手段と、背景に前記複写残存パターンで作成された模様を付加し、その上に更に前記情報入力手段によって入力された情報の一部を複写消去パターンとして前記印刷ジョブに付加するオーバレイ手段とを設け、
前記印刷装置に、前記上位装置から受信した前記印刷ジョブの印刷が可能か否かを判断する認証処理を行う認証処理手段と、該認証処理手段によって前記印刷ジョブの印刷が可能と判断されて認証が得られた場合に、該印刷ジョブの印刷を行うジョブ制御手段とを設けたことを特徴とする印刷システム。
【請求項３】
請求項１又は２記載の印刷システムにおいて、
前記印刷装置の認証処理手段は、予め登録された情報と一致する情報が入力された場合に、前記印刷ジョブの印刷が可能と判断することを特徴とする印刷システム。
【請求項４】
請求項１又は２記載の印刷システムにおいて、
前記印刷装置の認証処理手段は、予め登録されたユーザ名およびパスワードと一致するユーザ名およびパスワードが入力された場合に、前記印刷ジョブの印刷が可能と判断することを特徴とする印刷システム。
【請求項５】
複写時に光学的に読み取り可能な複写残存パターンと読み取り困難な複写消去パターンとの組み合わせによって作成され、複写物において顕現する複写抑制パターンを含む地紋パターンのデータを印刷ジョブに付加して印刷を行う印刷装置であって、
前記印刷ジョブの印刷が可能か否かを判断する認証処理を行う認証処理手段と、
該認証処理手段によって前記印刷ジョブの印刷が可能と判断されて認証が得られた場合に、該印刷ジョブの印刷を行うジョブ制御手段と、
該ジョブ制御手段によって前記認証が得られた前記印刷ジョブの印刷を行う際に、該認証に関する情報を前記複写残存パターンとして付加するオーバレイ手段と
を設けたことを特徴とする印刷装置。
【請求項６】
複写時に光学的に読み取り可能な複写残存パターンと読み取り困難な複写消去パターンとの組み合わせによって作成され、複写物において顕現する複写抑制パターンを含む地紋パターンのデータを印刷ジョブに付加して印刷を行う印刷装置であって、
前記印刷ジョブの印刷が可能か否かを判断する認証処理を行う認証処理手段と、
該認証処理手段によって前記印刷ジョブの印刷が可能と判断されて認証が得られた場合に、該印刷ジョブの印刷を許可するジョブ制御手段と、
該ジョブ制御手段によって前記認証が得られた前記印刷ジョブの印刷を行う際に、背景に前記複写残存パターンで作成された模様を付加し、その上に更に前記認証に関する情報を前記複写消去パターンとして付加するオーバレイ手段と
を設けたことを特徴とする印刷装置。
【請求項７】
請求項５又は６記載の印刷装置において、
前記認証処理手段は、予め登録された情報と一致する情報が入力された場合に、前記印刷ジョブの印刷が可能と判断し、
前記オーバレイ手段は、前記認証に関する情報として、前記認証処理手段によって前記印刷ジョブの印刷が可能と判断されて認証が得られたときの情報の一部を使用することを特徴とする印刷装置。
【請求項８】
請求項５又は６記載の印刷装置において、
前記認証処理手段は、予め登録されたユーザ名およびパスワードと一致するユーザ名およびパスワードが入力された場合に、前記印刷ジョブの印刷が可能と判断し、
前記オーバレイ手段は、前記認証に関する情報として、前記認証処理手段によって前記印刷ジョブの印刷が可能と判断されて認証が得られたときのユーザ名を使用することを特徴とする印刷装置。
【請求項９】
複写時に光学的に読み取り可能な複写残存パターンと読み取り困難な複写消去パターンとの組み合わせによって作成され、複写物において顕現する複写抑制パターンを含む地紋パターンのデータを印刷ジョブに付加して印刷を行う印刷装置を制御するコンピュータに、
前記印刷ジョブの印刷が可能か否かを判断する認証処理を行う認証処理機能と、
該認証処理機能によって前記印刷ジョブの印刷が可能と判断されて認証が得られた場合に、該印刷ジョブの印刷を行うジョブ制御機能と、
該ジョブ制御機能によって前記認証が得られた前記印刷ジョブの印刷を行う際に、該認証に関する情報を前記複写残存パターンとして付加するオーバレイ機能と
を実現させるためのプログラム。
【請求項１０】
複写時に光学的に読み取り可能な複写残存パターンと読み取り困難な複写消去パターンとの組み合わせによって作成され、複写物において顕現する複写抑制パターンを含む地紋パターンのデータを印刷ジョブに付加して印刷を行う印刷装置を制御するコンピュータに、
前記印刷ジョブの印刷が可能か否かを判断する認証処理を行う認証処理機能と、
該認証処理機能によって前記印刷ジョブの印刷が可能と判断されて認証が得られた場合に、該印刷ジョブの印刷を行うジョブ制御機能と、
該ジョブ制御機能によって前記認証が得られた前記印刷ジョブの印刷を行う際に、背景に前記複写残存パターンで作成された模様を付加し、その上に更に前記認証に関する情報を前記複写消去パターンとして付加するオーバレイ機能と
を実現させるためのプログラム。
【請求項１１】
請求項９又は１０記載のプログラムにおいて、
前記認証処理機能は、予め登録された情報と一致する情報が入力された場合に、前記印刷ジョブの印刷が可能と判断し、
前記オーバレイ機能は、前記認証に関する情報として、前記認証処理機能によって前記印刷ジョブの印刷が可能と判断されて認証が得られたときの情報の一部を使用することを特徴とするプログラム。
【請求項１２】
請求項９又は１０記載のプログラムにおいて、
前記認証処理機能は、予め登録されたユーザ名およびパスワードと一致するユーザ名およびパスワードが入力された場合に、前記印刷ジョブの印刷が可能と判断し、
前記オーバレイ機能は、前記認証に関する情報として、前記認証処理機能によって前記印刷ジョブの印刷が可能と判断されて認証が得られたときのユーザ名を使用することを特徴とするプログラム。
【請求項１３】
請求項９乃至１２のいずれか一項に記載のプログラムを記録したコンピュータ読み取り可能な記録媒体。
【発明の詳細な説明】
【技術分野】
【０００１】
この発明は、地紋パターンのデータを印刷可能なプリンタ，デジタル複写機，ファクシミリ装置，およびそれらの機能を有するデジタル複合機等の印刷装置、その印刷装置と上位装置とからなる印刷システム、上記印刷装置を制御するコンピュータ（ＣＰＵ）に必要な機能（この発明に係わる機能）を実現させるためのプログラム、およびそのプログラムを記録したコンピュータ読み取り可能な記録媒体に関する。
【背景技術】
【０００２】
上記のような印刷装置では、処方箋，金券など、原本なのか複写物なのか区別をつけたい文書（印刷ジョブの印刷データ）の印刷を行う場合に、複写時に光学的に読み取り可能な複写残存パターンと読み取り困難な複写消去パターンとの組み合わせによって作成された画像をそれらの文書の背景に付加して印刷する地紋印刷が一般に行われている（例えば特許文献１〜３）。
【特許文献１】特開２００５−００６１６９号公報
【特許文献２】特開２００１−３２４８９８号公報
【特許文献３】特開２００２−３６６６９３号公報
【０００３】
ところで、地紋印刷された文書の背景部分は、複写すると複写残存パターンだけが顕現するため、原本と比較すると一目で複写されたものであることが分かる。
一方、公開前の特許文書や未発表の製品企画書といった機密文書では、原本か複写物かという区別をつけるよりは、複写されてしまった場合に、その文書の漏洩元を特定したいというニーズが強く、その文書を出力したＰＣ（パーソナルコンピュータ）のログオンユーザ名を複写残存パターンとして付加する地紋印刷が一般に利用されている。
【発明の開示】
【発明が解決しようとする課題】
【０００４】
しかしながら、ＰＣのユーザ管理が個々人に任されているような環境では、ログオンユーザ名は個々人が自由に設定できる。また、ＰＣのユーザ管理をＩＴ管理者以外では行なえないようにしている環境であっても、個人が所有するＰＣをその環境に持ち込んでセットアップすれば、実質ＰＣのログオンユーザ名は自由に設定できることになる。
したがって、ＰＣのログオンユーザ名を文書に付加して印刷しても、そのログオン名は個人を特定する情報としては信頼性が十分でない。
この発明は、上記の点に鑑みてなされたものであり、原本を出力したユーザを確実に特定できるようにすることを目的とする。
【課題を解決するための手段】
【０００５】
この発明は、上記の目的を達成するため、印刷装置，プログラム，および記録媒体を提供する。
請求項１の発明による印刷システムは、上位装置と印刷装置からなり、上記上位装置が、複写時に光学的に読み取り可能な複写残存パターンと読み取り困難な複写消去パターンとの組み合わせによって作成され、複写物において顕現する複写抑制パターンを含む地紋パターンのデータを印刷ジョブに付加して上記印刷装置へ送信し、該印刷装置が、上記上位装置からの上記地紋パターンのデータが付加された印刷ジョブを受信して印刷を行う印刷システムであって、上記上位装置に、上記印刷装置で認証を得るのに必要な情報を入力する情報入力手段と、該情報入力手段によって入力された情報の一部を複写残存パターンとして上記印刷ジョブに付加するオーバレイ手段とを設け、上記印刷装置に、上記上位装置から受信した上記印刷ジョブの印刷が可能か否かを判断する認証処理を行う認証処理手段と、該認証処理手段によって上記印刷ジョブの印刷が可能と判断されて認証が得られた場合に、該印刷ジョブの印刷を行うジョブ制御手段とを設けたものである。
【０００６】
請求項２の発明による印刷システムは、上位装置と印刷装置からなり、上記上位装置が、複写時に光学的に読み取り可能な複写残存パターンと読み取り困難な複写消去パターンとの組み合わせによって作成され、複写物において顕現する複写抑制パターンを含む地紋パターンのデータを印刷ジョブに付加して上記印刷装置へ送信し、該印刷装置が、上記上位装置からの上記地紋パターンのデータが付加された印刷ジョブを受信して印刷を行う印刷システムであって、上記上位装置に、上記印刷装置で認証を得るのに必要な情報を入力する情報入力手段と、背景に上記複写残存パターンで作成された模様を付加し、その上に更に上記情報入力手段によって入力された情報の一部を複写消去パターンとして上記印刷ジョブに付加するオーバレイ手段とを設け、上記印刷装置に、上記上位装置から受信した上記印刷ジョブの印刷が可能か否かを判断する認証処理を行う認証処理手段と、該認証処理手段によって上記印刷ジョブの印刷が可能と判断されて認証が得られた場合に、該印刷ジョブの印刷を行うジョブ制御手段とを設けたものである。
【０００７】
請求項３の発明による印刷システムは、請求項１又は２の印刷システムにおいて、上記印刷装置の認証処理手段が、予め登録された情報と一致する情報が入力された場合に、上記印刷ジョブの印刷が可能と判断するものである。
請求項４の発明による印刷システムは、請求項１又は２の印刷システムにおいて、上記印刷装置の認証処理手段が、予め登録されたユーザ名およびパスワードと一致するユーザ名およびパスワードが入力された場合に、上記印刷ジョブの印刷が可能と判断するものである。
【０００８】
請求項５の発明による印刷装置は、複写時に光学的に読み取り可能な複写残存パターンと読み取り困難な複写消去パターンとの組み合わせによって作成され、複写物において顕現する複写抑制パターンを含む地紋パターンのデータを印刷ジョブに付加して印刷を行う印刷装置であって、上記印刷ジョブの印刷が可能か否かを判断する認証処理を行う認証処理手段と、該認証処理手段によって上記印刷ジョブの印刷が可能と判断されて認証が得られた場合に、該印刷ジョブの印刷を許可するジョブ制御手段と、該ジョブ制御手段によって上記認証が得られた上記印刷ジョブの印刷を行う際に、該認証に関する情報を上記複写残存パターンとして付加するオーバレイ手段とを設けたものである。
【０００９】
請求項６の発明による印刷装置は、複写時に光学的に読み取り可能な複写残存パターンと読み取り困難な複写消去パターンとの組み合わせによって作成され、複写物において顕現する複写抑制パターンを含む地紋パターンのデータを印刷ジョブに付加して印刷を行う印刷装置であって、上記印刷ジョブの印刷が可能か否かを判断する認証処理を行う認証処理手段と、該認証処理手段によって上記印刷ジョブの印刷が可能と判断されて認証が得られた場合に、該印刷ジョブの印刷を許可するジョブ制御手段と、該ジョブ制御手段によって上記認証が得られた上記印刷ジョブの印刷を行う際に、背景に上記複写残存パターンで作成された模様を付加し、その上に更に上記認証に関する情報を上記複写消去パターンとして付加するオーバレイ手段とを設けたものである。
【００１０】
請求項７の発明による印刷装置は、請求項５又は６の印刷装置において、上記認証処理手段が、予め登録された情報と一致する情報が入力された場合に、上記印刷ジョブの印刷が可能と判断し、上記オーバレイ手段が、上記認証に関する情報として、上記認証処理手段によって上記印刷ジョブの印刷が可能と判断されて認証が得られたときの情報の一部を使用するものである。
【００１１】
請求項８の発明による印刷装置は、請求項５又は６の印刷装置において、上記認証処理手段が、予め登録されたユーザ名およびパスワードと一致するユーザ名およびパスワードが入力された場合に、上記印刷ジョブの印刷が可能と判断し、上記オーバレイ手段が、上記認証に関する情報として、上記認証処理手段によって上記印刷ジョブの印刷が可能と判断されて認証が得られたときのユーザ名を使用するものである。
【００１２】
請求項９の発明によるプログラムは、複写時に光学的に読み取り可能な複写残存パターンと読み取り困難な複写消去パターンとの組み合わせによって作成され、複写物において顕現する複写抑制パターンを含む地紋パターンのデータを印刷ジョブに付加して印刷を行う印刷装置を制御するコンピュータに、上記印刷ジョブの印刷が可能か否かを判断する認証処理を行う認証処理機能と、該認証処理機能によって上記印刷ジョブの印刷が可能と判断されて認証が得られた場合に、該印刷ジョブの印刷を行うジョブ制御機能と、該ジョブ制御機能によって上記認証が得られた上記印刷ジョブの印刷を行う際に、該認証に関する情報を上記複写残存パターンとして付加するオーバレイ機能とを実現させるためのプログラムである。
【００１３】
請求項１０の発明によるプログラムは、複写時に光学的に読み取り可能な複写残存パターンと読み取り困難な複写消去パターンとの組み合わせによって作成され、複写物において顕現する複写抑制パターンを含む地紋パターンのデータを印刷ジョブに付加して印刷を行う印刷装置を制御するコンピュータに、上記印刷ジョブの印刷が可能か否かを判断する認証処理を行う認証処理機能と、該認証処理機能によって上記印刷ジョブの印刷が可能と判断されて認証が得られた場合に、該印刷ジョブの印刷を行うジョブ制御機能と、該ジョブ制御機能によって上記認証が得られた上記印刷ジョブの印刷を行う際に、背景に上記複写残存パターンで作成された模様を付加し、その上に更に上記認証に関する情報を上記複写消去パターンとして付加するオーバレイ機能とを実現させるためのプログラムである。
【００１４】
請求項１１の発明によるプログラムは、請求項９又は１０のプログラムにおいて、上記認証処理機能が、予め登録された情報と一致する情報が入力された場合に、上記印刷ジョブの印刷が可能と判断し、上記オーバレイ機能が、上記認証に関する情報として、上記認証処理機能によって上記印刷ジョブの印刷が可能と判断されて認証が得られたときの情報の一部を使用するものである。
【００１５】
請求項１２の発明によるプログラムは、請求項９又は１０のプログラムにおいて、上記認証処理機能が、予め登録されたユーザ名およびパスワードと一致するユーザ名およびパスワードが入力された場合に、上記印刷ジョブの印刷が可能と判断し、上記オーバレイ機能が、上記認証に関する情報として、上記認証処理機能によって上記印刷ジョブの印刷が可能と判断されて認証が得られたときのユーザ名を使用するものである。
請求項１３の発明による記録媒体は、請求項９〜１２のいずれかのプログラムを記録したコンピュータ読み取り可能な記録媒体である。
【発明の効果】
【００１６】
この発明による印刷システムによれば、上位装置が、複写時に光学的に読み取り可能な複写残存パターンと読み取り困難な複写消去パターンとの組み合わせによって作成され、複写物において顕現する複写抑制パターンを含む地紋パターンのデータを印刷ジョブ（原本の印刷データを含む）に付加して印刷装置へ送信する際に、予め入力された情報（印刷装置で認証を得るために必要な情報）の一部を複写残存パターンとして印刷ジョブに付加し、印刷装置が、上位装置からの印刷ジョブを受信して印刷を行う場合には、その印刷ジョブの印刷が可能か否かを判断する認証処理を行い、その認証処理によって印刷ジョブの印刷が可能と判断されて認証が得られた場合に、その印刷ジョブ（実際には印刷データ）の印刷を行うので、原本を出力したユーザを確実に特定することができる。
【００１７】
この発明による印刷装置によれば、印刷装置は、複写時に光学的に読み取り可能な複写残存パターンと読み取り困難な複写消去パターンとの組み合わせによって作成され、複写物において顕現する複写抑制パターンを含む地紋パターンのデータを印刷ジョブ（原本の印刷データを含む）に付加して印刷を行う場合には、その印刷ジョブの印刷が可能か否かを判断する認証処理を行い、その認証処理によって印刷ジョブの印刷が可能と判断されて認証が得られた場合に、その印刷ジョブ（実際には印刷データ）の印刷を行うが、その際に上記認証に関する情報を複写残存パターンとして付加するので、やはり原本を出力したユーザを確実に特定することができる。
【発明を実施するための最良の形態】
【００１８】
以下、この発明を実施するための最良の形態を図面に基づいて具体的に説明する。
〔第１実施形態〕
まず、この発明の第１実施形態であるプリンタシステムの概要について、図１を参照して説明する。
図１は、そのプリンタシステムの一例を示す図である。
【００１９】
各コンピュータ端末１０，２０は、それぞれプリンタ１〜３とＬＡＮ（ローカル・エリア・ネットワーク）等のネットワーク５を介して通信可能に接続できる。この各コンピュータ端末１０，２０は、それぞれアプリケーションからプリンタドライバを通して接続されているプリンタ１〜３のうちのいずれかを印刷ジョブの出力先として選択し、その出力先へ印刷ジョブを送って印刷を行わせることができる。
【００２０】
この各コンピュータ端末１０，２０は、いずれもＰＣ（パーソナルコンピュータ）やワークステーション等の情報処理装置（上位装置）であり、クライアントコンピュータやプリントサーバであってもよい。また、プリントサーバシステムの形態の場合、クライアントコンピュータがプリントサーバ（印刷サービス）のＷｅｂクライアント（ＷｅｂサーバやＷｅｂブラウザ等）であってもよい。
【００２１】
各プリンタ１〜３はいずれも、コンピュータ端末１０又は２０からの印刷ジョブの印刷データを可視画像として用紙上に印刷する印刷装置であり、レーザプリンタ，ＬＥＤプリンタ，インクジェットプリンタ等のプリント機能のみを有するものである。なお、プリンタ１〜３に代えて、プリント機能の他にコピー機能等の他の機能も有するデジタル複写機，デジタル複合機，ファクシミリ装置等の印刷装置（画像形成装置）を使用してもよい。また、各プリンタ１〜３にプリントサーバの機能を備えてもよい。
【００２２】
次に、図１のコンピュータ端末１０のハードウェア構成について、図２を参照して説明する。なお、コンピュータ端末２０のハードウェア構成も、コンピュータ端末１０と同様なので、図示および説明を省略する。
図２は、図１のコンピュータ端末１０のハードウェア構成例を示すブロック図である。
コンピュータ端末１０は、Ｉ／Ｏポート１１，ＣＰＵ１２，ＲＯＭ１３，ＲＡＭ１４，表示部１５，ＨＤＤ（ハードディスク装置）１６，入力部１７，および記憶媒体ドライブ１８を備えている。
【００２３】
Ｉ／Ｏポート１１は、外部装置であるプリンタ１〜３とそれぞれネットワーク５経由で通信するための通信手段である。
ＣＰＵ１２は、このコンピュータ端末１０全体を管理および制御する中央処理装置である。
ＲＯＭ１３は、ＣＰＵ１２が実行する固定の制御プログラムを格納している読み出し専用の記憶手段（メモリ）である。
【００２４】
ＲＡＭ１４は、ＣＰＵ１２が実行するプログラムを展開し、各種処理を行う際の作業領域として使用する読み書き可能な記憶手段である。
表示部１５は、各種のデータや作業画面等を表示するＣＲＴディスプレイ，ＬＣＤディスプレイ等の表示手段である。
ＨＤＤ１６は、制御プログラムや複写時に光学的に読み取り可能な複写残存パターン，読み取り困難な複写消去パターンを含む各種データを記憶する大容量記憶手段である。
入力部１７は、利用者が使用したいプリンタで認証を得るために必要な情報を含む各種の操作情報を入力するための情報入力手段であり、キーボードやマウス等のポインティングデバイスも使用することができる。
【００２５】
記憶媒体ドライブ１８は、記憶媒体１９に対する記録又は再生を行う記録再生手段である。
記憶媒体１９は、コンピュータ端末１０に対して脱着可能なＭＯ，ＣＤ−Ｒ，ＣＤ−ＲＷ，ＤＶＤ＋Ｒ，ＤＶＤ＋ＲＷディスク，ＤＶＤ−Ｒ，ＤＶＤ−ＲＷ，ＤＶＤ−ＲＡＭ等のコンピュータ読み取り可能な記録媒体であり、印刷制御を実行する制御プログラム（制御ソフトウェア）が記録される。
【００２６】
このように構成されたコンピュータ端末１０において、ＣＰＵ１２は、操作者による入力部１７の操作により、記憶媒体ドライブ１８を介して記憶媒体１９から制御プログラムを読み出し、ＨＤＤ１６にインストールすることができる。
そして、電源投入時には、ＲＯＭ１３内のブートローダ（ブートプログラム）に従い、ＨＤＤ１６内のＯＳ（オペレーションシステム），アプリケーション（アプリケーションソフトウェア），およびユーザインタフェースを含む各種プログラムを読み出し、ＲＡＭ１４にインストールした後、その各種プログラムに従って動作する（各種プログラムを実行する）ことにより、この発明に係わる機能、つまりオーバレイ手段としての機能を含む各種機能を実現することができる。
【００２７】
次に、コンピュータ端末１０のソフトウェア構成および印刷に係わる処理について、図３〜図５を参照して具体的に説明する。なお、コンピュータ端末２０のソフトウェア構成および印刷に係わる処理も、コンピュータ端末１０と同様なので、図示および説明を省略する。また、制御プログラム（制御ソフトウェア）による処理（制御）は、実際にはＣＰＵが制御プログラムに従って動作することによって実行するが、説明の都合上、制御プログラムが処理を実行するものとする。以後も、制御プログラムが何らかの処理を行うものとして説明を行う場合には、同様とする。
【００２８】
図３は、図１のコンピュータ端末１０のソフトウェア構成例を示すブロック図である。但し、この図３ではアプリケーションの図示は省略している。また、図３の矢印付き実線はジョブデータの流れを、矢印付き破線はその他のデータの流れをそれぞれ示している。
図４は、それらの制御ソフトウェアによる処理シーケンスの一例を示す図である。
図５は、図４のジョブ生成部による処理の一例を示すフローチャートである。
【００２９】
アプリケーション２１は、表示部１５の画面上で入力部１７の操作に応じた印刷データ（ここでは「文書データ」とする）を作成し、それをジョブ生成部２２へ送信する。なお、その文書データ（印刷データ）が原本の印刷データとなる。
ジョブ生成部２２は、アプリケーション２１から文書データを受け取り、設定値入力処理部２３から各種設定値を受け取ると、その文書データをその各種設定値に従って使用するプリンタ（ここでは「プリンタ１」とする）で印刷可能なジョブデータ（印刷ジョブ）に加工する。
【００３０】
すなわち、ジョブ生成部２２は、アプリケーション２１から文書データが送られてくると、図５の処理フローを開始し、まずステップＳ１でアプリケーション２１からの文書データを受け取り、ステップＳ２へ進む。
ステップＳ２では、設定値入力処理部２３へ設定値取得要求を送信することにより、その設定値入力処理部２３からユーザ名ｕ，パスワードｐ，その他設定値（印刷条件）ｏを取得し、それらの設定値のうち、ユーザ名ｕとパスワードｐを印刷ジョブＪに埋め込む。
【００３１】
設定値入力処理部２３は、ジョブ生成部２２から設定値取得要求を受信すると、ユーザ操作（入力部１７の操作）による印刷に関するユーザ名ｕ，パスワードｐ，その他設定値ｏの入力を受け付け、それらの設定値が入力された場合に、それらの設定値をジョブ生成部２２へ送信する。なお、それらの設定値は、使用するプリンタで認証を得るために必要な情報である。
ジョブ生成部２２は、図５のステップＳ２の処理を行った後、ステップＳ３へ進み、先に取得したユーザ名ｕおよびその他設定値ｏを含む地紋データ生成要求を地紋生成処理部２４へ送信する（渡す）ことにより、その地紋生成処理部２４から印刷ジョブＪに付加する地紋データＤを取得する。
【００３２】
地紋生成処理部２４は、ジョブ生成部２２から地紋データ生成要求を受け取ると、その文字列をＨＤＤ１６内の複写残存パターンと複写消去パターンによって描画（作成）し、その描画データ（複写物において顕現する複写抑制パターンを含む）を地紋データＤとしてジョブ生成部２２へ送信する。なお、ここでは、地紋データ生成要求に含まれているユーザ名ｕ（使用するプリンタで認証を得るために必要な情報の一部）を複写残存パターンとして描画するものとする。
【００３３】
ジョブ生成部２２は、図５のステップＳ３の処理を行った後、ステップＳ４へ進み、ステップＳ１で受け取った文書データをステップＳ３で取得した地紋データＤと共にその他設定値ｏに従って印刷可能なジョブデータ（印刷するデータ）ｄに加工し、印刷ジョブＪに埋め込む。
そして、その印刷ジョブＪ（ユーザ名ｕ，パスワードｐ，印刷するデータｄ）をステップＳ５でジョブ送信部２５へ送信する。
ジョブ送信部２５は、ジョブ生成部２２から印刷ジョブを受け取ると、それをＩ／Ｏポート１１によって使用するプリンタ（プリンタ１〜３のいずれか）へ送信する。
【００３４】
次に、図１のプリンタ１のハードウェア構成について、図６を参照して説明する。なお、プリンタ２，３のハードウェア構成も、プリンタ１と同様なので、図示および説明を省略する。
図６は、図１のプリンタ１のハードウェア構成例を示すブロック図である。
このプリンタ１は、ＣＰＵ１０１，Ｉ／Ｏポート１０２，ＨＤＤ１０３，揮発性メモリ１０４，不揮発性メモリ１０５，表示部１０６，入力部１０７，および作像部１０８等によって構成されている。
【００３５】
ＣＰＵ１０１は、このプリンタ１全体を管理および制御する中央処理装置である。
Ｉ／Ｏポート１０２は、外部装置であるコンピュータ端末１０又は２０から送信される印刷ジョブを受け付ける（受信する）ための通信手段である。
ＨＤＤ１０３は、ユーザ情報等の各種データを格納する大容量記憶手段である。
【００３６】
揮発性メモリ１０４は、ＣＰＵ１０１が各種処理を行う際の作業領域として使用したり、印刷ジョブに基づいてビットマップ画像を作成する際の画像領域として使用する読み書き可能なＲＡＭ等の記憶手段である。
不揮発性メモリ１０５は、この発明による制御プログラム（制御ソフトウェア），複写消去パターン，および複写残存パターン等のデータを格納するフラッシュＲＯＭ等の記憶手段である。
【００３７】
表示部１０６は、このプリンタ１の状態やユーザ情報の入力画面等を表示するＣＲＴディスプレイ，ＬＣＤディスプレイ等の表示手段である。
入力部１０７は、ユーザ情報等の入力を受け付けるための入力手段である。
作像部１０８は、ＣＰＵ１０１によって作成されたビットマップ画像を用紙に転写する作像処理を行う手段である。
【００３８】
このように構成されたプリンタ１において、ＣＰＵ１０１は、不揮発性メモリ１０５内の制御プログラムに従って動作する（その各種プログラムを必要に応じて選択的に実行する）ことにより、この発明に係わる機能、つまり認証処理手段およびジョブ制御手段としての機能を含む各種機能を実現することができる。
【００３９】
図７は、ＨＤＤ１０３内のユーザ情報の一例を示す説明図である。
このユーザ情報は、それぞれ予め登録された複数のインデックス情報ｉ，ユーザ名Ｕｉ，パスワードＰｉ，印刷可否情報（印刷が可能か否かを示す情報）ＡＰｉ，および機器管理可否情報（プリンタ１の管理が可能か否かを示す情報）ＡＡｉ等からなる。そのうち、機器管理可否情報ＡＡｉが「可」になっているユーザのみがユーザ情報を変更できるようになっている。なおここでは、便宜的にパスワードを人が読める形で記載しているが、実際にはＤＥＳ（Data Encryption Standard）などの方法を使って暗号化して保存する。
【００４０】
次に、プリンタ１のソフトウェア構成および印刷に係わる処理について、図８〜図１２を参照して具体的に説明する。なお、プリンタ２，３のソフトウェア構成および印刷に係わる処理も、プリンタ１と同様なので、図示および説明を省略する。
図８は、図６のプリンタ１のソフトウェア構成例を示すブロック図である。なお、図８の矢印付き実線はジョブデータの流れを、矢印付き破線はその他のデータの流れをそれぞれ示している。
【００４１】
図９は、それらの制御ソフトウェアによる処理シーケンスの一例を示す図である。なお、ジョブ送信元１１１は、コンピュータ端末１０又は２０に相当するものである。
図１０は、図９のジョブ制御部による処理の一例を示すフローチャートである。
図１１は、図９の認証処理部による処理の一例を示すフローチャートである。
【００４２】
ジョブ制御部１１２は、ジョブ送信元（コンピュータ端末１０又は２０）から印刷ジョブＪが送られてくると、図１０の処理フローを開始し、まずステップＳ１１でジョブ送信元からの印刷ジョブＪ（ユーザ名ｕ，パスワードｐ，印刷するデータｄ）を受け取り、ステップＳ１２でその印刷ジョブＪからユーザ名ｕおよびパスワードｐを取り出す。
次に、ステップＳ１３へ進み、そのユーザ名ｕおよびパスワードｐを含む認証要求Ｒを認証処理部１１３へ送信することにより、その認証処理部１１３から認証結果（認証成功又は認証失敗）ｒおよびユーザ名ｕを含む認証情報Ｉを取得する。
【００４３】
そして、その認証情報ＩからステップＳ１４で先に受け取った印刷ジョブＪのデータｄの印刷が可能か否かを判断し、印刷が可能（認証成功）であればステップＳ１５へ進み、上記印刷ジョブＪに認証情報Ｉを追加し、印刷処理部１１５へ送信する。印刷ジョブＪのデータｄの印刷が可能でない場合には、ステップＳ１６で上記印刷ジョブＪをキャンセルする。
【００４４】
認証処理部１１３は、ジョブ制御部１１２からユーザ名ｕおよびパスワードｐを含む認証要求Ｒが送られてくると、図１１の処理フローを開始し、まずステップＳ２１でその認証要求Ｒを受け取り、ステップＳ２２でＨＤＤ１０３内の認証要求Ｒのユーザ名ｕ，パスワードｐとそれぞれ一致するユーザ名Ｕｉ，パスワードＰｉに対応するインデックス情報ｉ（Ｕｉ＝ｕかつＰｉ＝ｐを満たすｉ）を検索する処理を行う。
【００４５】
そして、ＨＤＤ１０３内のユーザ情報からそのインデックス情報ｉを検索できた場合には、ステップＳ２４でインデックス情報ｉに対応する印刷可否情報ＡＰｉから印刷が可能か否かを判断し、印刷が可能であればステップＳ２５で認証結果ｒを認証成功とし、その認証結果ｒと先に受け取った認証要求Ｒのユーザ名ｕ（認証に関する情報）を含む認証情報Ｉをジョブ制御部１１２へ送信する。
【００４６】
また、ＨＤＤ１０３内のユーザ情報から上記インデックス情報ｉを検索できなかった場合、あるいは印刷が可能でなかった場合には、ステップＳ２７で認証結果ｒを認証失敗とし、その認証結果ｒと上記認証要求Ｒのユーザ名ｕを含む認証情報Ｉをジョブ制御部１１２へ送信する。
印刷処理部１１５は、ジョブ制御部１１２から印刷ジョブＪを受け取ると、その印刷ジョブＪをレンダリングすることによりビットマップ画像を作成して揮発性メモリ１０４の画像領域に展開し、それを図６の作像部１０８に出力して用紙に印刷する作像処理を行わせる。
【００４７】
この第１実施形態によれば、コンピュータ端末（上位装置）が、複写時に光学的に読み取り可能な複写残存パターンと読み取り困難な複写消去パターンとの組み合わせによって作成され、複写物において顕現する複写抑制パターンを含む地紋パターンのデータを印刷ジョブ（原本の印刷データを含む）に付加してプリンタへ送信する際に、予め入力された情報（使用するプリンタで認証を得るために必要な情報の一部）を複写残存パターンとして印刷ジョブに付加し、プリンタが、コンピュータ端末からの印刷ジョブを受信して印刷を行う場合には、その印刷ジョブの印刷が可能か否かを判断する認証処理を行い、その認証処理によって印刷ジョブの印刷が可能と判断されて認証が得られた場合に、その印刷ジョブ（実際には印刷データ）の印刷を行うので、上記入力された情報の一部が複写時に顕現することになる。よって、文書が原本か複写物かを区別でき、複写物の場合には顕在化する文字列が上記入力された情報であるため、原本を出力したユーザを確実に特定することができる。
【００４８】
また、予め登録された情報（ユーザ名およびパスワード）と一致する情報が入力された場合に、上記印刷ジョブの印刷が可能と判断するので、セキュリティが一層向上する。
なお、地紋パターンのデータを印刷ジョブに付加してプリンタへ送信する際に、背景に複写残存パターンで作成された模様を付加し、その上に更に上記入力された情報を複写消去パターンとして付加することもできる。この場合も、その入力された情報が複写時に顕現することになる。
【００４９】
〔第２実施形態〕
次に、この発明の第２実施形態であるプリンタシステムについて説明する。なお、そのプリンタシステムおよびそれを構成するコンピュータ端末およびプリンタのハードウェア構成は、図１，図２，図６によって説明した第１実施形態のものと同様なので、再びそれらの図を参照する。
この第２実施形態において、第１実施形態と異なるところは、プリンタ１〜３のＣＰＵが、不揮発性メモリ内の制御プログラムに従って動作することにより、この発明に係わるオーバレイ手段としての機能を果たすことである。
【００５０】
まず、コンピュータ端末１０のソフトウェア構成および印刷に係わる処理について、図１２〜図１４を参照して具体的に説明する。なお、コンピュータ端末２０のソフトウェア構成および印刷に係わる処理も、コンピュータ端末１０と同様なので、図示および説明を省略する。
図１２は、図１のコンピュータ端末１０の他のソフトウェア構成例を示すブロック図である。但し、この図１２ではアプリケーションの図示は省略している。また、図１２の矢印付き実線はジョブデータの流れを、矢印付き破線はその他のデータの流れをそれぞれ示している。
図１３は、それらの制御ソフトウェアによる処理シーケンスの一例を示す図である。
図１４は、図１３のジョブ生成部による処理の一例を示すフローチャートである。
【００５１】
アプリケーション２１は、表示部１５の画面上で入力部１７の操作に応じた印刷データ（ここでは「文書データ」とする）を作成し、それをジョブ生成部２２へ送信する。なお、その文書データ（印刷データ）が原本の印刷データとなる。
ジョブ生成部２２は、アプリケーション２１から文書データを受け取り、設定値入力処理部２３から各種設定値を受け取ると、その文書データをその各種設定値に従って使用するプリンタ（ここでは「プリンタ１」とする）で印刷可能なジョブデータ（印刷ジョブ）に加工する。
【００５２】
すなわち、ジョブ生成部２２は、アプリケーション２１から文書データが送られてくると、図１４の処理フローを開始し、まずステップＳ３１でアプリケーション２１からの文書データを受け取り、ステップＳ３２へ進む。
ステップＳ３２では、設定値入力処理部２３へ設定値取得要求を送信することにより、その設定値入力処理部２３からユーザ名ｕ，パスワードｐ，その他設定値（印刷条件）ｏを取得し、それらの設定値のうち、ユーザ名ｕとパスワードｐを印刷ジョブＪに埋め込む。
【００５３】
設定値入力処理部２３は、ジョブ生成部２２から設定値取得要求を受信すると、ユーザ操作（入力部１７の操作）による印刷に関するユーザ名ｕ，パスワードｐ，その他設定値ｏの入力を受け付け、それらの設定値が入力された場合に、それらの設定値をジョブ生成部２２へ送信する。なお、それらの設定値は、使用するプリンタで認証を得るために必要な情報である。
【００５４】
ジョブ生成部２２は、図１４のステップＳ３２の処理を行った後、ステップＳ３３へ進み、ステップＳ３１で受け取った文書データをステップＳ３２で取得したその他設定値ｏに従って印刷可能なジョブデータ（印刷するデータ）ｄに加工し、印刷ジョブＪに埋め込む。
そして、その印刷ジョブＪ（ユーザ名ｕ，パスワードｐ，印刷するデータｄ）をステップＳ３４でジョブ送信部２５へ送信する。
ジョブ送信部２５は、ジョブ生成部２２から印刷ジョブを受け取ると、それをＩ／Ｏポート１１によってプリンタ１へ送信する。
【００５５】
次に、プリンタ１のソフトウェア構成および印刷に係わる処理について、図１５〜図１８を参照して具体的に説明する。なお、プリンタ２，３のソフトウェア構成および印刷に係わる処理も、プリンタ１と同様なので、図示および説明を省略する。
図１５は、図６のプリンタ１の他のソフトウェア構成例を示すブロック図である。なお、図１５の矢印付き実線はジョブデータの流れを、矢印付き破線はその他のデータの流れをそれぞれ示している。
【００５６】
図１６は、それらの制御ソフトウェアによる処理シーケンスの一例を示す図である。なお、ジョブ送信元１１１は、コンピュータ端末１０又は２０に相当するものである。
図１７は、図１６のジョブ制御部による処理の一例を示すフローチャートである。
図１８は、図１６の地紋生成処理部による処理の一例を示すフローチャートである。
【００５７】
ジョブ制御部１１２は、ジョブ送信元（コンピュータ端末１０又は２０）から印刷ジョブＪが送られてくると、図１７の処理フローを開始し、まずステップＳ４１でジョブ送信元からの印刷ジョブＪ（ユーザ名ｕ，パスワードｐ，印刷するデータｄ）を受け取り、ステップＳ４２でその印刷ジョブＪからユーザ名ｕおよびパスワードｐを取り出す。
次に、ステップＳ４３へ進み、そのユーザ名ｕおよびパスワードｐを含む認証要求Ｒを認証処理部１１３へ送信することにより、その認証処理部１１３から認証結果（認証成功又は認証失敗）ｒおよびユーザ名ｕを含む認証情報Ｉを取得する。
【００５８】
そして、その認証情報ＩからステップＳ４４で先に受け取った印刷ジョブＪのデータｄの印刷が可能か否かを判断し、印刷が可能（認証成功）であればステップＳ４５へ進み、上記印刷ジョブＪに認証情報Ｉを追加し、地紋生成処理部１１４へ送信する。印刷ジョブＪのデータｄの印刷が可能でない場合には、ステップＳ４６で上記印刷ジョブＪをキャンセルする。
【００５９】
認証処理部１１３は、ジョブ制御部１１２からユーザ名ｕおよびパスワードｐを含む認証要求Ｒが送られてくると、図１１の処理フローを開始する。この処理フローについては、第１実施形態で説明したので、ここではその説明を省略する。
地紋生成処理部１１４は、ジョブ制御部１１２からユーザ名ｕ，パスワードｐ，認証情報Ｉ，印刷するデータｄを含む印刷ジョブＪが送られてくると、図１８の処理フローを開始し、まずステップＳ５１でその印刷ジョブＪから受け取り、ステップＳ５２でその印刷ジョブＪからユーザ名ｕを取り出し、ステップＳ５３でそのユーザ名ｕの文字の輪郭線を抽出する。
【００６０】
次に、ステップＳ５４で不揮発性メモリ１０５から複写残存パターンを取り出し、ステップＳ５５へ進む。
ステップＳ５５では、先に抽出したユーザ名ｕの文字の輪郭線の内部を先に取り出した複写残存パターンで塗り潰すように指示するデータｖを作成し、それを上記印刷ジョブＪに追加する。
そして、その印刷ジョブＪを印刷処理部１１５へ送信する。
【００６１】
印刷処理部１１５は、地紋生成処理部１１４から印刷ジョブＪを受け取ると、その印刷ジョブＪをレンダリングすることによりビットマップ画像を作成して揮発性メモリ１０４の画像領域に展開し、それを図６の作像部１０８に出力して用紙に印刷する作像処理を行わせる。このとき、上記印刷ジョブＪのデータｖにより、上記ユーザ名ｕの文字の輪郭線の内部を複写残存パターンで塗り潰す処理を行う。
【００６２】
この第２実施形態によれば、プリンタが、複写時に光学的に読み取り可能な複写残存パターンと読み取り困難な複写消去パターンとの組み合わせによって作成され、複写物において顕現する複写抑制パターンを含む地紋パターンのデータを印刷ジョブ（原本の印刷データを含む）に付加して印刷を行う場合には、その印刷ジョブの印刷が可能か否かを判断する認証処理を行い、その認証処理によって印刷ジョブの印刷が可能と判断されて認証が得られた場合に、その印刷ジョブ（実際には印刷データ）の印刷を行うが、その際に上記認証に関する情報（ユーザ名）を複写残存パターンとして付加するので、その認証に関する情報が複写時に顕現することになる。よって、文書が原本か複写物かを区別でき、複写物の場合には顕在化する文字列が認証に関する情報であるため、原本を出力したユーザを確実に特定することができる。
【００６３】
また、予め登録された情報（ユーザ名およびパスワード）と一致する情報が入力された場合に、上記印刷ジョブの印刷が可能と判断し、上記認証に関する情報として上記印刷ジョブの印刷が可能と判断されて認証が得られたときの情報の一部（ユーザ名）を使用するので、セキュリティが一層向上する。
なお、印刷ジョブの印刷を行う際に、背景に複写残存パターンで作成された模様を付加し、その上に更に上記認証に関する情報を複写消去パターンとして付加することもできる。この場合も、その認証に関する情報が複写時に顕現することになる。
【００６４】
以上、この発明を地紋パターンのデータを印刷可能なプリンタとコンピュータ端末とからなるプリンシステムに適用した実施形態について説明したが、この発明はこれに限らず、地紋パターンのデータを印刷可能なプリンタ，デジタル複写機，ファクシミリ装置，又はデジタル複合機の各種印刷装置とコンピュータ端末等の上位装置とからなる印刷システムに適用可能である。
この発明によるプログラムは、印刷装置を制御するコンピュータ（ＣＰＵ）に、この発明による各種機能（認証処理手段，ジョブ制御手段，オーバレイ手段としての機能）を実現させるためのプログラムであり、このようなプログラムをコンピュータに実行させることにより、上述したような効果を得ることができる。
【００６５】
このようなプログラムは、はじめからＲＯＭあるいはＨＤＤ等の記憶手段に格納しておいてもよいが、記録媒体であるＣＤ−ＲＯＭあるいはフレキシブルディスク，ＳＲＡＭ，ＥＥＰＲＯＭ，メモリカード等の不揮発性記録媒体（メモリ）に記録して提供することもできる。そのメモリに記録されたプログラムをコンピュータに実行させるか、コンピュータにそのメモリからこのプログラムを読み出して実行させることにより、上述した各手順を実行させることができる。
さらに、ネットワークに接続され、プログラムを記録した記録媒体を備える外部機器あるいはプログラムを記憶手段に記憶した外部機器からダウンロードして実行させることも可能である。
【産業上の利用可能性】
【００６６】
以上の説明から明らかなように、この発明によれば、原本を出力したユーザを確実に特定することができる。したがって、この発明を利用すれば、原本を出力したユーザを確実に特定可能な印刷装置や印刷システム、印刷装置を制御するコンピュータを提供することができる。
【図面の簡単な説明】
【００６７】
【図１】この発明による印刷装置であるプリンタを使用するプリンタシステムの一例を示す図である。
【図２】図１のコンピュータ端末１０のハードウェア構成例を示すブロック図である。
【図３】図１のコンピュータ端末１０のソフトウェア構成例を示すブロック図である。
【図４】図３に示す各制御ソフトウェアによる処理シーケンスの一例を示す図である。
【図５】図４のジョブ生成部による処理の一例を示すフロー図である。
【図６】図１のプリンタ１のハードウェア構成例を示すブロック図である。
【００６８】
【図７】図６のＨＤＤ１０３内のユーザ情報の一例を示す説明図である。
【図８】図６のプリンタ１のソフトウェア構成例を示すブロック図である。
【図９】図８に示す各制御ソフトウェアによる処理シーケンスの一例を示す図である。
【図１０】図９のジョブ制御部による処理の一例を示すフロー図である。
【図１１】図９の認証処理部による処理の一例を示すフロー図である。
【図１２】図１のコンピュータ端末１０の他のソフトウェア構成例を示すブロック図である。
【００６９】
【図１３】図１２に示す各制御ソフトウェアによる処理シーケンスの一例を示す図である。
【図１４】図１３のジョブ生成部による処理の一例を示すフロー図である。
【図１５】図６のプリンタ１の他のソフトウェア構成例を示すブロック図である。
【図１６】図１５に示す各制御ソフトウェアによる処理シーケンスの一例を示す図である。
【図１７】図１６のジョブ制御部による処理の一例を示すフロー図である。
【図１８】図９の地紋生成処理部による処理の一例を示すフロー図である。
【符号の説明】
【００７０】
１〜３：プリンタ    ５：ネットワーク    １０，２０：コンピュータ端末
１１，１０２：Ｉ／Ｏポート    １２，１０１：ＣＰＵ    １３：ＲＯＭ
１４：ＲＡＭ    １５，１０６：表示部    １６，１０３：ＨＤＤ
１７，１０７：入力部    １８：記憶媒体ドライブ    １９：記憶媒体
２１：アプリケーション    ２２：ジョブ生成部    ２３：設定値入力処理部
２４，１１４：地紋生成処理部    ２５：ジョブ送信部    １０４：揮発性メモリ
１０５：不揮発性メモリ    １０８：作像部    １１２：ジョブ制御部
１１３：認証処理部    １１５：印刷処理部
【図１】
2006331203.tif 000003
【図２】
2006331203.tif 000004
【図３】
2006331203.tif 000005
【図４】
2006331203.tif 000006
【図５】
2006331203.tif 000007
【図６】
2006331203.tif 000008
【図７】
2006331203.tif 000009
【図８】
2006331203.tif 000010
【図９】
2006331203.tif 000011
【図１０】
2006331203.tif 000012
【図１１】
2006331203.tif 000013
【図１２】
2006331203.tif 000014
【図１３】
2006331203.tif 000015
【図１４】
2006331203.tif 000016
【図１５】
2006331203.tif 000017
【図１６】
2006331203.tif 000018
【図１７】
2006331203.tif 000019
【図１８】
2006331203.tif 000020